(57)【特許請求の範囲】
【請求項１】
キャビネット前面の化粧面を構成する引出しの前板又は開き収納の扉の上、下の少なくとも一端部の近傍に、前方からの手指の挿入を可能とするとともに、該一端部の背面への手掛けを可能とする手掛け用の空間を形成した手掛け取っ手構造であって、
前記キャビネットの両側板の前端面のそれぞれに、側面視で前方に開放する略コ字状に形成された切欠部と、側面視で前方に開放する略コ字状に形成され、その略コ字状の開放空間が前記手掛け用の空間の一部を構成するとともに、前記切欠部に両端部の背面側が嵌め込まれて該両側板間に架設された内幕板部材と、該両側板に該内幕板部材を固定するための固定具とを備え、
前記固定具は、前記内幕板部材と前記切欠部との間に形成される隙間を閉塞するようにして、前記キャビネットの両側板の内面に固着されていることを特徴とする手掛け取っ手構造。
【請求項２】
請求項１において、
前記切欠部は、ルーター加工によって形成されて上下の入隅部に前記内幕板部材と当接しない凹み部がそれぞれ形成されており、
前記固定具は、前記両凹み部を閉塞するようにして固着されていることを特徴とする手掛け取っ手構造。
【請求項３】
請求項１または２において、
前記キャビネットは、複数個が連結されており、
前記複数個のキャビネットに設けられた前記内幕板部材は、前記引出しの前板又は前記開き収納の扉によって前記キャビネットの内部空間が閉塞された状態で正面視して、長手方向に沿って略同高さで露出するように配置されていることを特徴とする手掛け取っ手構造。
【発明の詳細な説明】
【技術分野】
【０００１】
本発明は、キャビネットの手掛け取っ手構造に関する。
【背景技術】
【０００２】
例えば、キッチンや洗面化粧台等に収納家具として設置されるキャビネットは、引出しや開閉扉等を備え、その内部空間が収納スペースとされている。
このようなキャビネットは、デザインの統一性や高級感が求められ、近時では、前面側に取っ手等の別部材を設けず、取っ手等を前面側に露出させない構成としたものが提案されている。
【０００３】
例えば、下記特許文献１では、キャビネット本体の引出の前板の背面側に、内幕板を設け、該前板の背面側と内幕板との間にスペーサを配設して前板の背面側と内幕板との間に指を挿入するための空間を形成する構成としたキャビネットの引出構造が提案されており、上記内幕板は、引出のスライド用枠部材から垂設された構成とされている。
上記のようなキャビネットの引出構造によれば、引出の前板の前面側に取っ手等を設けたり、前板の前面や上端部、下端部に手掛け用の凹溝や切欠等を形成したり、前板の上端部や下端部に手掛け用の部材を設けたりする必要がなく、取っ手等が前面側に露出しない構成となる。
【特許文献１】特開２００３−３７１号公報
【発明の開示】
【発明が解決しようとする課題】
【０００４】
しかしながら上記特許文献１に記載の引出構造では、引出のスライド用枠部材に内幕板が垂設されているため、手前側からの衝撃に比較的弱く、内幕板の固着性を高めることが望まれていた。
また、上記内幕板は、前板の背面側との間にスペーサを配設して引出のスライド用枠部材に垂設する構成とされているので、キャビネット本体の側板の前端面から上記スペーサの分だけ後方側に内幕板が配置されることとなる。換言すれば、引出が挿入されて前板がキャビネット本体の内部空間を閉塞している状態で、キャビネット本体を正面側から見ると、内幕板とキャビネット本体の側板とには、段差が形成されたような状態となり、前面側がその段差により雑然とした印象を与えるものであった。
このようなものでは、特に、システムキッチン等のように複数個のキャビネットを連結し、それらキャビネットの内幕板を、長手方向に沿って略同高さに配置する場合では、正面側から見ると、互いに隣接するキャビネットの内幕板と内幕板との間に、それらキャビネットの側板が突出したように存在し、互いに隣接するキャビネットの内幕板の連続性が失われていた。
【０００５】
本発明は、上記実情に鑑みなされたものであり、手掛け用の空間を構成する内幕板部材の固着性を簡易な構成で高めるとともに、キャビネットのデザイン性を高める手掛け取っ手構造を提供することを目的としている。
【課題を解決するための手段】
【０００６】
前記目的を達成するために、本発明に係る手掛け取っ手構造は、キャビネット前面の化粧面を構成する引出しの前板又は開き収納の扉の上、下の少なくとも一端部の近傍に、前方からの手指の挿入を可能とするとともに、該一端部の背面への手掛けを可能とする手掛け用の空間を形成した手掛け取っ手構造であって、前記キャビネットの両側板の前端面のそれぞれに、側面視で前方に開放する略コ字状に形成された切欠部と、側面視で前方に開放する略コ字状に形成され、その略コ字状の開放空間が前記手掛け用の空間の一部を構成するとともに、前記切欠部に両端部の背面側が嵌め込まれて該両側板間に架設された内幕板部材と、該両側板に該内幕板部材を固定するための固定具とを備え、前記固定具は、前記内幕板部材と前記切欠部との間に形成される隙間を閉塞するようにして、前記キャビネットの両側板の内面に固着されていることを特徴とする。
【０００７】
本発明の前記手掛け取っ手構造においては、前記切欠部を、ルーター加工によって形成し、上下の入隅部に前記内幕板部材と当接しない凹み部をそれぞれ形成して、前記両凹み部を閉塞するようにして前記固定具を固着するようにしてもよい。
【０００８】
また、本発明の前記手掛け取っ手構造においては、前記キャビネットは、複数個が連結されており、前記複数個のキャビネットに設けられた前記内幕板部材は、前記引出しの前板又は前記開き収納の扉によって前記キャビネットの内部空間が閉塞された状態で正面視して、長手方向に沿って略同高さで露出するように配置されているようにしてもよい。
【発明の効果】
【０００９】
本発明に係る前記手掛け取っ手構造によれば、引出しの前板又は開き収納の扉の上、下の少なくとも一端部の近傍に、前方からの手指の挿入を可能とするとともに、該一端部の背面への手掛けを可能とする手掛け用の空間を形成しているので、前板又は扉の前面側に取っ手等を設けたり、前板又は扉の前面側や上端部、下端部に手掛け用の凹溝や切欠を形成したり、前板又は扉の上端部や下端部に手掛け用の部材を設けたりする必要がなく、前板又は扉の前面側がフラットな形状となりデザイン性に優れるとともに、前板又は扉への手掛けの加工等も不要となる。
また、前記手掛け用の空間の一部を構成する内幕板部材及び切欠部は、側面視で前方に開放する略コ字状に形成されており、そのキャビネットの両側板に形成された切欠部に、該内幕板部材の両端部の背面側を嵌め込んで両側板間に架設する構成としているので、前記したような特許文献１に記載の引出構造のように、内幕板をスライド用枠部材に垂設させる構成としたものと比べて、手前側からの衝撃に強く、内幕板部材の固着性を高めることができる。
【００１０】
さらに、前記固定具を、前記内幕板部材と前記切欠部との間に形成される隙間を閉塞するようにして、前記キャビネットの両側板の内面に固着させているので、これによっても内幕板部材の固着強度を高めることができる。
また、切削工具等によって、前記切欠部を側面視で前方に開放する略コ字状に形成する際に、切削面に凹凸が形成されたり、入隅部にＲ形状が形成されたりする場合があり、このような切欠部に前記内幕板部材の端部の背面側を嵌め込むと該内幕板部材と該切欠部との間に隙間が形成される場合があるが、前記固定具によれば、そのような隙間を閉塞することができる。これにより、例えば、キャビネットの引出しを引出したり、開き収納の扉を開けたりした状態でキャビネットの内部空間を覗き込んだ場合にも前記隙間が見えず、不良品との印象を使用者に与えるようなことを防止できる。
【００１１】
さらにまた、前記のように、内幕板部材は、キャビネットの側板に形成された前記切欠部に両端部が嵌め込まれているので、引出しの前板又は開き収納の扉によってキャビネットの内部空間が閉塞された状態で正面側から見た際に、キャビネットの側板は、内幕板部材によって隠蔽されて露出せず、デザイン的にすっきりした印象を与えることができる。
【００１２】
また、本発明において、前記切欠部を、ルーター加工によって形成し、上下の入隅部に前記内幕板部材と当接しない凹み部をそれぞれ形成して、前記固定具を、前記両凹み部を閉塞するようにして固着するようにすれば、切欠部を容易に形成できる。すなわち、ルーター加工によって側面視で前方に開放した略コ字状の切欠部を形成すると、切削方向を変える際に、入隅部がＲ形状となってしまい、このＲ形状を失くすように角処理を行う場合は、加工工程が煩雑となるが、本発明では、上下の入隅部に積極的に凹み部を形成するようにして切欠部を形成することで切欠部の加工性を向上させるとともに、形成された凹み部を固定具によって閉塞することで、前記同様、キャビネットの引出しを引出したり、開き収納の扉を開けたりした状態でキャビネットの内部空間を覗き込んだ場合にも凹み部が固定具によって隠蔽されて見えず、不良品との印象を使用者に与えるようなことを防止できる。
【００１３】
また、本発明において、複数個のキャビネットが連結されている場合に、それらのキャビネットに設けられた内幕板部材を、前記引出しの前板又は前記開き収納の扉によって前記キャビネットの内部空間が閉塞された状態で正面視して、長手方向に沿って略同高さで露出するように配置するようにすれば、前記した特許文献１のように、互いに隣接するキャビネットの内幕板間に側板が突出して存在するようなことがなく、内幕板部材が連続してキャビネットの横幅方向に沿って形成されているような印象を与えることができ、また、それらの間に側板の存在による段差等が形成されないので、すっきりとした印象を与えることができる。
【発明を実施するための最良の形態】
【００１４】
以下に本発明の最良の実施の形態について、図面に基づいて説明する。
図１（ａ）〜（ｃ）は、いずれも第１実施形態に係る手掛け取っ手構造を説明するための図２におけるＸ部の一部破断概略拡大側面図、図２は、同実施形態を適用したキャビネットの一部分解概略斜視図、図３は、同実施形態を適用したキャビネットの概略側面図、図４は、同実施形態を適用したキャビネットを備えたシステムキッチンの一例を示す概略正面図である。
尚、図１（ｂ）及び（ｃ）は、図２におけるＸ部を示すものであるが、後記する内幕板部材１２及び固定金具１３が取付けられた状態を示している。
【００１５】
本実施形態に係る手掛け取っ手構造１は、キッチン用のキャビネットに適用した例を示しており、図２及び図３では、後記するシステムキッチンＡの一部を構成する収納ユニット２を図示している。
収納ユニット２は、大略的に、略矩形状とされた側板２１，２１と、これら側板２１，２１間に設けられた天板２２、底板２３及び背板２４とで前方に向けて開口する方形箱体を形成し、この方形箱体に、上段引出し２５、中段引出し２６、下段引出し２７を出し入れ自在に備えた構成とされている。
【００１６】
側板２１，２１は、それぞれの前端面の下端部に形成された蹴込用の切欠２１ａ，２１ａと、それぞれの内側面の適所に設けられた引出し用レール２１ｂと、それぞれの前端面に形成された後記する手掛け取っ手構造１を構成する切欠部１１とを有している。
各引出し２５，２６，２７は、それぞれ収納ユニット２の前面側に設けられ、その内部空間を閉塞するとともに、収納ユニット２の化粧面を構成する前板２５ａ，２６ａ，２７ａと、各前板２５ａ，２６ａ，２７ａに連結され、上方に開口する収納箱体２５ｃ，２６ｃ，２７ｃとを有し、各前板２５ａ，２６ａ，２７ａの一端部２５ｂ，２６ｂ，２７ｂが、手掛け部を構成している。尚、各収納箱体２５ｃ，２６ｃ，２７ｃの両外側面には、側板２１，２１の内側面に形成された引出し用レール２１ｂに係合するスライド溝あるいは突条のスライドガイド等が形成されている。また、各引出し２５，２６，２７間には、仕切り板等を設けておらず、これにより、内部空間の収納スペースが広く形成され、また、軽量化が図れるとともにコスト性に優れた収納ユニット２となる。
【００１７】
尚、図３では、収納ユニット２の両外側面には、後記する手掛け取っ手構造１が露出しているが、後記するように、収納ユニット２は、システムキッチンＡの一部として他のユニットと連結されたり、サイドパネルが取付けられたり、住居の内壁等に隣接して設置されたりするので、手掛け取っ手構造１は、隠蔽される。また、収納ユニット２を単体のキャビネットとして使用する場合は、化粧板などのパネル部材を両側に取付けることが好ましい。
また、収納ユニット２の下段引出し２７は、前板２７ａの下端部２７ｂの背面側に手掛け用のスペースを形成しており、後記する手掛け取っ手構造１を適用していないが、例えば、中段引出し２６との間に手掛け取っ手構造１を適用するようにしてもよい。
【００１８】
手掛け取っ手構造１は、上記両側板２１，２１の前端面のそれぞれに、側面視で前方に開放する略コ字状に形成された切欠部１１と、これら切欠部１１，１１に両端部１２ａ，１２ａの背面側が嵌め込まれて、両側板２１，２１間に架設された内幕板部材１２と、両側板２１，２１に内幕板部材１２を固定するための固定具を構成する固定金具１３とを備えている。
【００１９】
内幕板部材１２は、側面視で前方に開放する略コ字状に形成されるとともに、上辺１２ｂと縦辺１２ｄとの出隅部及び縦辺１２ｄと下辺１２ｃとの出隅部がそれぞれ略直角形状とされている。
このように内幕板部材１２の上記出隅部をそれぞれ略直角形状としているので、内幕板部材１２を容易に加工できる。例えば、収納ユニット２の両側板２１，２１の前端面に切欠部を形成する際に、ルーターなどの切削工具で形成すると、切欠部を容易に形成できるが、該切欠部の上下入隅部には、切削方向を変える際にＲ形状などが形成される。このように上下入隅部にＲ形状などが形成された切欠部の形状に合わせて前記内幕板部材の背面側の形状を形成するとすれば、加工工程が煩雑となるが、本実施形態によれば、上記のように簡単な構造の内幕板部材１２に形成することができる。
尚、本実施形態では、加工を容易とするため、内幕板部材１２を木質系材料とし、３つの部材で構成しているが、一体的に形成してもよく、樹脂製材料や金属製材料等としてもよい。また、表面側に露出する部位には、化粧塗装や化粧フィルムの貼着、化粧層の形成などの表面処理が施されている。
【００２０】
切欠部１１は、ルーター加工によって形成されており、図１（ａ）に示すように、内幕板部材１２の端部１２ａが嵌め込まれた際に、内幕板部材１２の上辺１２ｂの端部上面と当接する天面部１１ａと、内幕板部材１２の下辺１２ｃの端部下面と当接する底面部１１ｂと、内幕板部材１２の縦辺１２ｄの端部背面と当接する背面部１１ｃとを有し、その上入隅部１１ｄ及び下入隅部１１ｅには、内幕板部材１２と当接しない凹み部Ｇ，Ｇが形成されている。
また、切欠部１１は、内幕板部材１２が嵌め込まれた状態で、その天面部１１ａ及び底面部１１ｂが、それぞれ前記のように内幕板部材１２の上辺１２ｂ及び下辺１２ｃと当接するように、内幕板部材１２の高さ（縦辺１２ｄに沿う高さ）に合わせて形成されるとともに、側板２１の前端面から内幕板部材１２が突出しないよう内幕板部材１２の厚み（上下辺１２ｂ，ｃに沿う長さ）に合わせて、背面部１１ｃが位置するように形成されている。すなわち、切欠部１１に内幕板部材１２が嵌め込まれた状態で、内幕板部材１２の前端面と、側板２１の前端面とが略面一となるように形成されている。
【００２１】
また、本実施形態では、上入隅部１１ｄ及び下入隅部１１ｅのそれぞれに形成された凹み部Ｇ，Ｇは、いずれも側板２１の奥側に向けて凹設されている。
このような切欠部１１は、ルーター加工によって容易に形成でき、例えば天面部１１ａを切削形成し、その天面部１１ａから背面部１１ｃへ向けてルータービットの方向を変更する際に、上入隅部１１ｄに半円状の凹み部Ｇが側板２１の奥側に向けて形成されるようにして切削することで形成される。入隅部を直角形状に角処理をする必要がある場合は、別の加工工程が必要となるが、本実施形態では、そのような必要がなく、容易に加工できる。下入隅部１１ｅについても同様である。
【００２２】
固定金具１３は、平面視略Ｌ字状に形成されたいわゆるＬ字型金具であって、本実施形態では、内幕板部材１２の高さ（縦辺１２ｄに沿う高さ）と略同高さとされており、側板２１の内側面に固着される一辺部１３ａと、内幕板部材１２の背面に固着される他辺部１３ｂと、それら辺部１３ａ，１３ｂの適所に開設されたビス孔１３ｃとを有している。また、側板の内側面に固着される一辺部１３ａは、少なくとも上記した両凹み部Ｇ，Ｇを閉塞可能な形状とされている。
尚、固定金具１３は、ビス１４で固着されている。また、各辺部１３ａ、１３ｂは、略同大同形状とされているので、いずれの辺部を側板２１の内側面、内幕板部材１２の背面に固着させるようにしてもよい。
【００２３】
前記構成とされた切欠部１１に、内幕板部材１２の端部１２ａを嵌め込むと、図１（ｂ）に示すように、半円状の凹み部Ｇ，Ｇが上入隅部１１ｄ及び下入隅部１１ｅに形成されているので、そのままでは、両凹み部Ｇ，Ｇが露出した状態となる。すなわち、側面視した場合は、内幕板部材１２に当接していない、この凹み部Ｇ，Ｇが見えてしまい、このままの状態では、例えば、上段引出し２５を引き抜いて上方から収納ユニット２内を覗き込んだり、中段引出し２６を引き出して下方から収納ユニット２内を覗き込んだりすると、該凹み部Ｇ，Ｇが見える恐れがある。
そのため、本実施形態では、さらに図１（ｃ）に示すように、上記両凹み部Ｇ，Ｇを閉塞するように固定金具１３を側板２１の内面に固着させている。
これにより、収納ユニット２内を上記のように覗き込んだ場合にも両凹み部Ｇ，Ｇは隠蔽されて、見えることがなく、不良品との印象を使用者に与えるようなことを防止できる。
また、内幕板部材１２の固着性を簡易な構成で高めることができる。
【００２４】
上記のような手掛け取っ手構造１によれば、上段引出し２５の前板２５ａの手掛け部を構成する下端部２５ｂの背面と、内幕板部材１２との間に手指の挿入できる空間が形成され、また、中段引出し２６の前板２６ａの手掛け部を構成する上端部２６ｂの背面と、内幕板部材１２との間に手指の挿入できる空間が形成される。すなわち、換言すれば、上段引出し２５の前板２５ａの下端部２５ｂの背面側、及び中段引出し２６の前板２６ａの上端部２６ｂの背面側に内幕板部材１２の略コ字状の前方に開放する空間が位置するように内幕板部材１２が配置され、その略コ字状の開放空間が手掛け用の空間Ｓの一部を構成している。また、本実施形態では、上段引出し２５と中段引出し２６との間に手掛け取っ手構造１を適用しており、上段引出し２５の前板２５ａの下端部２５ｂと、中段引出し２６の前板２６ａの上端部２６ｂとの間に、前方からの手指の挿入を可能とする間隙を設けて、該間隙も手掛け用の空間Ｓを構成している。このように、２段の引出し間に手掛け用の空間Ｓを形成することで、それら２段の引出しの両方の手掛け用の空間Ｓを、一箇所で構成することができ、例えば、引出しの一段づつに手掛け用の空間Ｓを形成した場合と比べて、高さ方向への省スペース化が図れる。
【００２５】
以上のように本実施形態に係る手掛け取っ手構造１によれば、上段引出し２４の前板２５ａの下端部２５ｂ及び中段引出し２６の前板２６ａの上端部２６ｂの近傍に、前記のように手掛け用の空間Ｓを形成しているので、各引出しの前板の前面側に取っ手等を設けたり、前板の前面側や上端部、下端部に手掛け用の凹溝や切欠を形成したり、前板の上端部や下端部に手掛け用の部材を設けたりする必要がなく、前板の前面側がフラットな形状となりデザイン性に優れるとともに、前板への手掛けの加工等も不要となる。
【００２６】
また、前記構成とされた切欠部１１に、内幕板部材１２の両端部１２ａの背面側を嵌め込んで収納ユニット２の両側板２１，２１間に架設する構成としているので、前記したような特許文献１に記載の引出構造のように、内幕板をスライド用枠部材に垂設させる構成としたものと比べて、手前側からの衝撃に強く、内幕板部材１２の固着性を高めることができる。
さらに、前記のように、内幕板部材１２は、収納ユニット２の両側板２１，２１に形成された切欠部１１，１１に両端部１２ａ，１２ａが嵌め込まれているので、各引出し２５，２６の前板２５ａ，２６ａによって収納ユニット２の内部空間が閉塞された状態で正面側から見た際に、収納ユニット２の両側板２１，２１は、内幕板部材１２によって隠蔽されて、露出せず、デザイン的にすっきりした印象を与えることができる。
【００２７】
さらにまた、切欠部１１の両凹み部Ｇ，Ｇを、両側板２１，２１の奥側に向けて凹設し、固定具を、平面視略Ｌ字状で、内幕板部材１２と略同高さに形成した固定金具１３で構成し、収納ユニット２の両側板２１，２１の内面及び内幕板部材１２の背面のそれぞれに固着するようにしているので、それら凹み部Ｇ，Ｇを閉塞するための固定金具の形状を簡単な形状とできる。すなわち、例えば、切欠部の上入隅部の凹み部を上方に向けて凹設し、下入隅部の凹み部を下方に向けて凹設したような場合には、それらの凹み部を閉塞するための固定具の形状を側面視略コ字状にする等、複雑な形状とする必要があるが、上記構成によれば、固定金具１３を簡易な構造にできる。
【００２８】
次に、前記構成とされた手掛け取っ手構造１を適用した収納ユニット２を備えたシステムキッチンＡを図４に基づいて説明する。
図例のシステムキッチンＡは、紙面右方からそれぞれキッチン用のキャビネットを構成する収納ユニット２と、シンクユニット３と、収納ユニット２と、調理器ユニット４とをこの順に配して連結しており、それらの上方には、シンク３８及びコンロ４８に合わせて開口が形成された人造大理石等からなるキッチンカウンター５が載置されている。また、両側には、それぞれ化粧板等からなるサイドパネル６，７が取付けられている。
【００２９】
シンクユニット３は、収納ユニット２の上段引出し２５に代えて、その上段に水栓金具３９を有したシンク３８が設けられ、中段及び下段には、それぞれ収納ユニット２の中段引出し２６及び下段引出し２７と略同様で幅寸法が異なる中段引出し３６及び下段引出し３７が設けられている。
中段引出し３６の前板３６ａの手掛け部を構成する上端部３６ｂの背面側には、収納ユニット２の内幕板部材１２と異なる内幕板部材１２Ａが設けられ、手掛け取っ手構造１Ａが形成されている。
【００３０】
調理器ユニット４は、収納ユニット２の上段引出し２５に代えて、その上段にコンロ４８及び操作パネル・グリル部４９が設けられ、中段及び下段には、それぞれ収納ユニット２の中段引出し２６及び下段引出し２７と略同様で幅寸法が異なる中段引出し４６及び下段引出し４７が設けられている。
中段引出し４６の前板４６ａの手掛け部を構成する上端部４６ｂの背面側には、収納ユニット２の内幕板部材１２と異なる内幕板部材１２Ａが設けられ、手掛け取っ手構造１Ａが形成されている。
【００３１】
上記各ユニット２，３，４が備える各中段引出し２６，３６，４６のそれぞれの上端部２６ｂ，３６ｂ，４６ｂは、略同高さとされており、さらに、本実施形態では、収納ユニット２の上段引出し２５の下端部２５ｂと、シンクユニット３の前面パネル３５ａの下端部３５ｂと、調理器ユニット４の前面パネル４５ａ及び操作パネル・グリル部４９の下端部４５ｂとは、それぞれ略同高さとされている。すなわち、換言すれば、それぞれのユニット２，３，４に設けられた各内幕板部材１２，１２Ａが、各引出しを挿入した状態で正面視して、長手方向に沿って略同高さで露出するように構成されている。
また、シンクユニット３及び調理器ユニット４のそれぞれに設けられた上記内幕板部材１２Ａは、収納ユニット２の上段引出し２５を引出すための手掛け用の空間Ｓを設ける必要がないため、その高さを低く形成しており、他は前記した内幕板部材１２と同様の構成とされている。すなわち、上辺１２ｂの下面が各ユニット３，４の上段部の前面パネル３５ａ，４５ａ及び操作パネル・グリル部４９のそれぞれの下端部３５ｂ，４５ｂと略同高さとなるような構成とされている。
尚、シンクユニット３及び調理器ユニット４のそれぞれの両側板には、前記同様の切欠部１１が内幕板部材１２Ａの形状（高さ）に合わせて形成され、また、内幕板部材１２Ａの形状（高さ）に合わせて形成された前記同様の固定金具１３が固着されている。
【００３２】
上記のようなシステムキッチンＡの各ユニット２，３，４に、手掛け取っ手構造１及び１Ａを適用した場合には、それぞれが連結され、両側にはサイドパネル６，７が取付けられるため、手掛け取っ手構造１及び１Ａが露出することがない。
尚、図例では、サイドパネル６，７が取付けられたアイランド型のシステムキッチンＡを例示しているが、例えば、両側に住居の内壁等が配される場合には、サイドパネル６，７は、設けなくとも良い。
【００３３】
以上のようにシステムキッチンＡの各ユニット２，３，４に、手掛け取っ手構造１及び１Ａを適用し、それぞれのユニット２，３，４に設けられた各内幕板部材１２，１２Ａが正面視して、長手方向に沿って略同高さで露出するように構成することで、前記した特許文献１のように、互いに隣接するキャビネットの内幕板間に側板が突出して存在するようなことがなく、内幕板部材１２，１２Ａが連続して各ユニット２，３，４の横幅方向に沿って形成されているような印象を与えることができ、また、それらの間に側板の存在による段差等が形成されないので、すっきりとした印象を与えることができる。
【００３４】
尚、本実施形態では、シンクユニット３及び調理器ユニット４に設けた内幕板部材１２Ａを、収納ユニット２に設けた内幕板部材１２と異なる高さのものとした例を説明したが、同じものとしてもよい。
また、本実施形態では、複数のユニット２，３，４を連結して構成されたシステムキッチンＡを例示し、ユニット２，３，４のそれぞれに個別の内幕板部材１２，１２Ａを設けた構成を例示しているが、これに限られず、一本の長尺に形成された内幕板部材１２を、各ユニット２，３，４に亙って架設するようにしてもよい。これによれば、各ユニット２，３，４間における内幕板部材１２の連続性をさらに高めることができ、よりすっきりとした印象を与えることができる。このような態様では、内幕板部材は、その端部のみならず中間位置も各ユニットの側板に前記同様に形成した切欠部に嵌め込むようにし、それぞれの側板の内面に固定具を固着するようにすればよい。
【００３５】
次に、本発明に係る他の実施の形態について、図面を参照しながら説明する。
図５は、第２実施形態に係る手掛け取っ手構造を示し、（ａ）〜（ｃ）は、いずれも図１に対応させた図である。
尚、第１実施形態との相違点は、主に切欠部の構成、及び固定金具の構成であり、同様の構成については、同一符合を付し、説明を省略する。
【００３６】
本実施形態に係る手掛け取っ手構造１Ｂの切欠部１１Ａは、図５（ａ）に示すように、上入隅部１１Ａｄに形成された凹み部Ｇを、側板２１の奥側に向けて凹設しておらず、側板２１の上方に向けて凹設しており、他の構成は、前記第１実施形態の切欠部１１と同様である。このような形状の切欠部１１Ａに、内幕板部材１２の端部１２ａを嵌め込んだ状態では、図５（ｂ）に示すように、内幕板部材１２の上辺１２ｂ及び縦辺１２ｄに当接しない凹み部Ｇ，Ｇが形成された状態となる。
固定金具１３Ａは、図５（ｃ）に示すように、上記のような形状とされた切欠部１１Ａの形状に合わせて、側板２１の内側面に固着される方の一辺部１３Ａａを形成している。すなわち、他辺部１３ｂの形状は、前記第１実施形態で説明した固定金具１３と同様、内幕板部材１２の高さと略同高さに形成されているが、一辺部１３Ａａは、上入隅部１１Ａｄに形成された凹み部Ｇを閉塞するように、上方側に延成され、手前側にも延成された延成閉塞部１３ｄを有している。
このように、本発明の手掛け取っ手構造では、例えばルーター等の切削工具による切欠部の形状は、種々の形状とでき、それに合わせて固定金具の形状も形成可能である。
【００３７】
次に、本発明に係る更に他の実施の形態について、図面を参照しながら説明する。
図６は、第３実施形態に係る手掛け取っ手構造を示し、（ａ）〜（ｃ）は、いずれも図１に対応させた図である。
尚、第１実施形態との相違点は、主に切欠部の構成であり、同様の構成については、同一符合を付し、説明を省略する。
【００３８】
本実施形態に係る手掛け取っ手構造１Ｃの切欠部１１Ｂは、図６（ａ）に示すように、上入隅部１１Ｂｄ及び下入隅部１１ＢｅをＲ形状に加工している。このような形状の切欠部１１Ｂに、内幕板部材１２の端部１２ａを嵌め込んだ状態では、図６（ｂ）に示すように、内幕板部材１２の縦辺１２ｄと、切欠部１１Ｂの背面部１１Ｂｃとの間に隙間Ｇ２が形成された状態となる。
このような隙間Ｇ２も前記第１実施形態と同様の固定金具１３を、側板２１の内面に固着することで、閉塞され、これにより、前記した凹み部Ｇと同様に、隙間Ｇ２が隠蔽される。
【００３９】
次に、本発明に係る手掛け取っ手構造を適用した他のキャビネットを図７に基づいて説明する。図７（ａ）、（ｂ）は、図２乃至図４に基づいて説明した収納ユニット２と同様、システムキッチンＡに備えられるキャビネットを構成する収納ユニット２Ａを示す概略正面図であり、（ａ）は、開閉扉を閉じた状態、（ｂ）は、開閉扉を開いた状態を示している。
尚、第１実施形態と同様の構成については、同一符号を付し、説明を省略する。
【００４０】
この収納ユニット２Ａは、図７（ａ）に示すように、前記第１実施形態で説明した収納ユニット２が有する中段引出し２６に代えて、収納ユニット２Ａの化粧面を構成する両開きの開閉扉２８ａを有した開き収納２８を中段に備えている。
この収納ユニット２Ａでは、羽目板２８ｃ、両側板２１，２１及び背板２４で囲まれた空間が収納スペースとされ、開閉扉２８ａによって、その空間が閉塞されている。
開閉扉２８ａは、図７（ｂ）に示すように、スライド丁番２８ｄによって側板２１に回動自在に取付られており、その手掛け部を構成する上端部２８ｂの背面側には、前記第１実施形態で説明した手掛け取っ手構造１が形成されている。
このような開閉扉２８ａにおいても手掛け取っ手構造１を適用することにより、前記第１実施形態と同様、開閉扉２８ａの前面側に取っ手等を設けたりする必要がなく、簡易な構成で意匠性に優れた収納ユニット２Ａとなる。
尚、開閉扉２８ａの構成は、図例のものに限られず、片開きの扉としてもよい。
また、上記収納ユニット２Ａに、前記第２実施形態及び第３実施形態で説明した手掛け取っ手構造１Ｂ、１Ｃを適用するようにしてもよい。
【００４１】
また、上記した各実施形態では、本発明に係る手掛け取っ手構造を適用するキャビネットとして、システムキッチンに組み込まれる各ユニット２，２Ａ，３，４を例示して説明したが、これに限られず、洗面化粧台に設けられる洗面ボウル下のキャビネットや、キッチンに設置されるカップボード等、種々のキャビネットに対して、本発明に係る手掛け取っ手構造を適用することができる。
【図面の簡単な説明】
【００４２】
【図１】（ａ）〜（ｃ）は、いずれも本発明に係る手掛け取っ手構造の一実施形態を説明するための図２におけるＸ部の一部破断概略拡大側面図である。
【図２】同実施形態を適用したキャビネットの一部分解概略斜視図である。
【図３】同実施形態を適用したキャビネットの概略側面図である。
【図４】同実施形態を適用したキャビネットを備えたシステムキッチンの一例を示す概略正面図である。
【図５】（ａ）〜（ｃ）は、いずれも本発明に係る手掛け取っ手構造の他の実施形態を示す図１に対応させた図である。
【図６】（ａ）〜（ｃ）は、いずれも本発明に係る手掛け取っ手構造の更に他の実施形態を示す図１に対応させた図である。
【図７】（ａ）、（ｂ）は、本発明に係る手掛け取っ手構造を適用した他のキャビネットを示す概略正面図である。
【符号の説明】
【００４３】
１，１Ａ，１Ｂ，１Ｃ        手掛け取っ手構造
２，２Ａ                    収納ユニット（キャビネット）
３                          シンクユニット（キャビネット）
４                          調理器ユニット（キャビネット）
１１，１１Ａ，１１Ｂ        切欠部
１１ｄ，１１Ａｄ，１１Ｂｄ  切欠部の上入隅部
１１ｅ，１１Ｂｅ            切欠部の下入隅部
１２，１２Ａ                内幕板部材
１２ａ                      内幕板部材の端部
１３，１３Ａ                固定金具（固定具）
２１                        側板
２５                        上段引出し（引出し、収納ユニット）
２５ａ                      引出しの前板
２５ｂ                      前板の下端部（前板の一端部）
２６                        中段引出し（引出し、収納ユニット）
２６ａ                      引出しの前板
２６ｂ                      前板の上端部（前板の一端部）
２８                        開き収納
２８ａ                      開閉扉
２８ｂ                      開閉扉の上端部（扉の一端部）
３６                        中段引出し（引出し、シンクユニット）
３６ａ                      引出しの前板
３６ｂ                      前板の上端部（前板の一端部）
４６                        中段引出し（引出し、調理器ユニット）
４６ａ                      引出しの前板
４６ｂ                      前板の上端部（前板の一端部）
Ｓ                          手掛け用の空間（手指を挿入する空間）
Ｇ                          凹み部（隙間）
Ｇ２                        隙間
【図１】
0004858383.tif 000002
【図２】
0004858383.tif 000003
【図３】
0004858383.tif 000004
【図４】
0004858383.tif 000005
【図５】
0004858383.tif 000006
【図６】
0004858383.tif 000007
【図７】
0004858383.tif 000008